(57)【要約】【課題】本発明は、ブートとバンドとの締結構造を改善することによって全体的なブートユニットの外径を減少させることで周辺部品との干渉を防止し、ブートとバンドとが互いに分離または離脱するのを防止することによって耐久性とシーリング機能を向上させるブートユニットおよびその製造方法を提供する。【解決手段】本発明の実施形態にかかるブートユニットは、一方には小径部が形成され、他方には前記小径部より内径の大きい大径部が形成され、前記小径部から前記大径部の間にシワ部が形成されるブートと、設定された厚さを有し、前記ブートの内周面または外周面に周方向に一体に形成されるブッシングと、前記ブッシングに沿って前記ブッシングの内部にリング状に形成されるバンドとを含むことができる。【選択図】図２
2014095467.tif 000002
【特許請求の範囲】
【請求項１】
一方には小径部が形成され、他方には前記小径部より内径の大きい大径部が形成され、前記小径部から前記大径部の間にシワ部が形成されるブートと、
設定された厚さを有し、前記ブートの内周面または外周面に周方向に一体に形成されるブッシングと、
前記ブッシングに沿って前記ブッシングの内部にリング状に形成されるバンドとを含むことを特徴とするブートユニット。
【請求項２】
前記バンドの外周面に突出して形成されるバンドイヤをさらに含み、
前記ブートおよび前記ブッシングには、前記バンドイヤが外部に露出する溝部が形成されることを特徴とする請求項１記載のブートユニット。
【請求項３】
前記ブートと前記ブッシングは、化学的に一体に形成されることを特徴とする請求項１記載のブートユニット。
【請求項４】
前記ブッシングは、前記大径部の内周面に沿って形成されることを特徴とする請求項１記載のブートユニット。
【請求項５】
前記ブッシングには、前記ブートの前記大径部の端部面を保護するように放射方向にカバー部が一体に形成されることを特徴とする請求項４記載のブートユニット。
【請求項６】
前記ブッシングは、前記ブートの前記大径部にオーバーモールディングされ、前記バンドは、前記ブッシングにインサートモールディングされることを特徴とする請求項１記載のブートユニット。
【請求項７】
ブートを形成するステップと、
前記ブートと共にオーバーモールディングして大径部と一体にブッシングを形成するステップとを含み、
前記ブッシングを形成するステップにおいて、前記ブッシングの内部にバンドをインサートモールディングすることを特徴とするブートユニットの製造方法。
【請求項８】
前記ブッシングを形成するステップにおいて、前記ブートと前記ブッシングは、化学的に一体に形成されることを特徴とする請求項７記載のブートユニットの製造方法。
【請求項９】
前記ブッシングを形成するステップは、
前記ブートの前記大径部の端部面を保護するように放射方向にカバー部を一体に形成することを特徴とする請求項８記載のブートユニットの製造方法。
【請求項１０】
外周面の一方には一側外周面、および他方には他側外周面が形成され、前記他側外周面が中心軸と距離がより短く形成され、前記一側外周面と前記他側外周面との間には段差面が形成されるブッシングと、
一方には小径部が形成され、他方には前記小径部より内径の大きい大径部が形成され、前記小径部から前記大径部の間にシワ部が形成され、前記大径部の内周面が前記一側外周面、前記段差面、および前記他側外周面と一体に成形されるブートと、
前記ブートを前記ブッシングに密着させるバンドとを含むことを特徴とするブートユニット。
【請求項１１】
前記ブッシングの他側端部には放射方向に一体に形成される端部カバー部と、
前記端部カバー部の端部に、前記他側外周面に対応して一体に形成される外側カバー部とを含み、
前記バンドは、前記外側カバー部の外周面に密着して前記外側カバー部を前記ブートの外周面に密着させ、前記ブートを前記ブッシングの前記他側外周面に密着させることを特徴とする請求項１０記載のブートユニット。
【請求項１２】
前記ブッシングは、前記ブートの前記大径部にオーバーモールディングされ、前記バンドは、前記ブッシングにインサートモールディングされることを特徴とする請求項１０記載のブートユニット。
【発明の詳細な説明】
【技術分野】
【０００１】
本発明は、車両の動力伝達装置に装着され、その内部の潤滑物質が外部に漏洩するのを防止し、外部から異物が侵入するのを防止するブートユニットに関するものである。
【背景技術】
【０００２】
ブート（ｂｏｏｔ）とは、ゴム材質のカバーで、マスタシリンダ、ホイールシリンダ、ケーブル、電線、またはコネクタなどの任意の部分を保護するものであって、自動車分野では等速ジョイントなどに適用される。
【０００３】
このような自動車用ブートユニット（ｂｏｏｔ  ｕｎｉｔ）は、等速ジョイントなどで連結される部分や回転軸の間に適用され、オイル／グリース（ｏｉｌ／ｇｒｅａｓｅ）が外部に流出したり、埃などの汚染物質が内部に流入するのを防止する。
【０００４】
一般的な自動車用ブートユニットは、車軸の間に連結されて気密を維持するブートと、これを車軸に固定するためのバンドとから構成される。この時、ブートの一側はバンドを介して車軸に固定し、他の一側もバンドを介して車軸に固定される。
【０００５】
一方、ブートとバンドを別途に管理しなければならず、ブートを設けた後にバンドを正確に設けなければならないという煩わしさがあった。
【０００６】
同時に、ブートの外側にバンドをさらに被せることによって全体的なブートユニットの外径が増加する傾向があり、これにより、周辺部品との干渉を生じさせることがあった。それだけでなく、ブートとバンドとが互いに分離または離脱し、全体的な耐久性とシーリング機能が低下することがあった。
【発明の概要】
【発明が解決しようとする課題】
【０００７】
本発明の目的は、ブートとバンドとの締結構造を改善することによって全体的なブートユニットの外径を減少させることで周辺部品との干渉を防止し、ブートとバンドとが互いに分離または離脱するのを防止することによって耐久性とシーリング機能を向上させるブートユニットおよびその製造方法を提供することである。
【課題を解決するための手段】
【０００８】
上述のように、本発明の実施形態にかかるブートユニットは、一方には小径部が形成され、他方には前記小径部より内径の大きい大径部が形成され、前記小径部から前記大径部の間にシワ部が形成されるブートと、設定された厚さを有し、前記ブートの内周面または外周面に周方向に一体に形成されるブッシングと、前記ブッシングに沿って前記ブッシングの内部にリング状に形成されるバンドとを含むことができる。
【０００９】
前記バンドの外周面に突出して形成されるバンドイヤをさらに含み、前記ブートおよび前記ブッシングには、前記バンドイヤが外部に露出する溝部を形成できる。
【００１０】
前記ブートと前記ブッシングは、化学的に一体に形成できる。
【００１１】
前記ブッシングは、前記大径部の内周面に沿って形成できる。
【００１２】
前記ブッシングには、前記ブートの前記大径部の端部面を保護するように放射方向にカバー部が一体に形成できる。
【００１３】
前記ブッシングは、前記ブートの前記大径部にオーバーモールディングされ、前記バンドは、前記ブッシングにインサートモールディングされ得る。
【００１４】
本発明の実施形態にかかるブートユニットの製造方法は、ブートを形成するステップと、前記ブートと共にオーバーモールディングして大径部と一体にブッシングを形成するステップとを含み、前記ブッシングを形成するステップにおいて、前記ブッシングの内部にバンドをインサートモールディングすることを特徴とすることができる。
【００１５】
前記ブッシングを形成するステップにおいて、前記ブートと前記ブッシングは、化学的に一体に形成できる。
【００１６】
前記ブッシングを形成するステップは、前記ブートの前記大径部の端部面を保護するように放射方向にカバー部を一体に形成することができる。
【００１７】
本発明の実施形態にかかるブートユニットは、外周面の一方には一側外周面、および他方には他側外周面が形成され、前記他側外周面が中心軸と距離がより短く形成され、前記一側外周面と前記他側外周面との間には段差面が形成されるブッシングと、一方には小径部が形成され、他方には前記小径部より内径の大きい大径部が形成され、前記小径部から前記大径部の間にシワ部が形成され、前記大径部の内周面が前記一側外周面、前記段差面、および前記他側外周面と一体に成形されるブートと、前記ブートを前記ブッシングに密着させるバンドとを含むことができる。
【００１８】
前記ブッシングの他側端部には放射方向に一体に形成される端部カバー部と、前記端部カバー部の端部に、前記他側外周面に対応して一体に形成される外側カバー部とを含み、前記バンドは、前記外側カバー部の外周面に密着して前記外側カバー部を前記ブートの外周面に密着させ、前記ブートを前記ブッシングの前記他側外周面に密着させることができる。
【００１９】
前記ブッシングは、前記ブートの前記大径部にオーバーモールディングされ、前記バンドは、前記ブッシングにインサートモールディングされ得る。
【発明の効果】
【００２０】
このような目的を達成するための本発明により、本発明の実施形態において、ブッシングの内部にバンドを配置することにより、ブートの大径部の最大直径が減少する効果がある。
【００２１】
また、ブートの大径部の内周面にブッシングがオーバーモールディングされる時、バンドをインサートモールディングすることにより、バンドが外部干渉などで離脱する危険性を低減する。
【００２２】
同時に、バンドとブッシングとの間の結合力を向上させ、全体的な耐久性と強固性を向上させる。
【００２３】
それだけでなく、実質的にブートとブッシングとが化学的に一体化されることによってこれらの間の結合力が向上し、ブート、ブッシング、およびバンドが１つの一体化された部品として管理可能である。
【図面の簡単な説明】
【００２４】
【図１】本技術にかかるブートユニットおよびこれを備えた動力伝達装置の概略的な斜視図である。
【図２】本発明の実施形態にかかるブートユニットの斜視図である。
【図３】本発明の実施形態にかかるブートユニットの長さ方向の断面図である。
【図４】本発明の実施形態にかかるブートユニットに備えられるブートの斜視図である。
【図５】本発明の実施形態にかかるブートユニットに備えられるブッシングとバンドの斜視図である。
【図６】本発明の実施形態にかかるブートユニットに備えられるブッシングとバンドのインサートモールディングされた状態を示す斜視図である。
【図７】本発明の実施形態にかかるブートユニットを製造する方法を示すフローチャートである。
【図８】本発明の他の実施形態にかかるブートユニットの長さ方向の断面を示す断面図である。
【図９】本発明の他の実施形態にかかるブートユニットにおけるブッシングの断面を示す斜視断面図である。
【図１０】本発明の他の実施形態にかかるブートユニットにおけるブッシングとブートとの結合関係を示す斜視断面図である。
【図１１】本発明の他の実施形態にかかるブートユニットにおけるバンドの締結された状態を示す一部断面図である。
【図１２】本発明の他の実施形態にかかるブートユニットにおけるバンドの締められた状態を示す一部断面図である。
【発明を実施するための形態】
【００２５】
以下、本発明の好ましい実施形態を、添付した図面に基づいて詳細に説明する。
【００２６】
図２は、本発明の実施形態にかかるブートユニットの斜視図である。
【００２７】
図２を参照すれば、ブートユニット２００は、ブート２５０と、ブッシング２２０と、バンド２３０とを含む。
【００２８】
前記ブート２５０において、小径部４００と大径部４１０との間にシワ部２１０が形成され、前記大径部４１０の内周面には、設定された厚さのブッシング２２０が形成される。
【００２９】
同時に、前記ブッシング２２０の内部に前記バンド２３０が周方向に形成される。前記ブート２５０の前記大径部４１０の一側には溝部２８０が形成され、前記バンド２３０は、前記溝部２８０を介して外部に露出する。
【００３０】
前記バンド２３０には、外周面から突出して形成されるバンドイヤ２４０が形成され、前記バンドイヤ２４０は、前記溝部２８０に対応して形成される。
【００３１】
使用者は、前記バンド２３０の前記バンドイヤ２４０を用いて前記ブッシング２２０を動力伝達装置の外周面に密着させる。前記バンドイヤ２４０を用いて前記ブッシング２２０を固定する方法は公知技術に従う。
【００３２】
前記ブッシング２２０の内部面には、載置突起２９０が膨らんで突出形成され、前記載置突起２９０は、前記動力伝達装置の外周面に、前記載置突起２９０に対応する溝（図示せず）に載置されることにより、前記ブートユニット２００を強固に固定できる。
【００３３】
前記載置突起２９０の内部にはホール２９５が形成され、前記ホール２９５は、前記載置突起２９０が装着される時に弾性力を発揮して装着面により密着する効果を与え、全体的な重量を減少させる。
【００３４】
図３は、本発明の実施形態にかかるブートユニットの長さ方向の断面図である。
【００３５】
図３を参照すれば、前記ブート２５０の前記大径部４１０の内周面に、前記ブッシング２２０が設定された厚さに形成され、前記ブート２５０の内部に前記バンド２３０が配置される構造である。特に、前記バンド２３０は、前記溝部２８０を除き、前記ブッシング２２０の内部に配置される。
【００３６】
前記ブッシング２２０と前記ブート２５０の大径部４１０の内周面は、実質的に一体に形成される。特に、これらは化学的に連続する構造に一体化される。同時に、前記バンド２３０は、前記ブッシング２２０がオーバーモールディングされる時、インサートモールディングプロセスにより前記ブッシング２２０の内部に固定されて配置される。
【００３７】
前記ブッシング２２０には、前記大径部４１０の外側端部面をカバーするカバー部３００が形成される。前記カバー部３００は、前記ブート２５０と前記ブッシング２２０との連結をより強固に維持し、前記ブート２５０の外側端部面を保護する。
【００３８】
ここで、前記カバー部３００は、前記ブッシング２２０に沿って周方向に連続的または間欠的に形成できる。
【００３９】
図４は、本発明の実施形態にかかるブートユニットに備えられるブートの斜視図である。
【００４０】
図４を参照すれば、前記ブート２５０は、長さ方向に小径部４００、シワ部２１０、および大径部４１０を含み、前記大径部４１０に前記溝部２８０が切開されて形成される。前記ブート２５０はブロー工法によって形成され、これに対する製造方法は公知技術に従う。
【００４１】
図５は、本発明の実施形態にかかるブートユニットに備えられるブッシングとバンドの斜視図であり、図６は、本発明の実施形態にかかるブートユニットに備えられるブッシングとバンドのインサートモールディングされた状態を示す斜視図である。
【００４２】
図５および図６を参照すれば、前記バンド２３０は、設定された長さと幅を有する金属板材を円形に折り曲げ、この両端を接合して円形の環状を有し、その一側外周面にバンドイヤ２４０が突出して形成される。
【００４３】
前記バンド２３０は、前記ブッシング２２０の内部に配置されるように、前記ブッシング２２０が形成される時に金型の内部にインサートモールディングされる。同時に、インサートモールディング時、前記バンドイヤ２４０は、前記溝部２８０を介して外部に露出する。
【００４４】
同時に、前述のように、前記ブッシング２２０の内周面には載置突起２９０が膨らんで形成され、一側端部には周方向にカバー部３００が形成される。
【００４５】
本発明の実施形態において、前記ブッシング２２０の内部に前記バンド２３０を配置することにより、前記ブート２５０の大径部の最大直径が減少する効果がある。
【００４６】
仮に、前記ブッシング２２０または前記ブート２５０の外部に金属バンドを設けると、最大直径は前記バンドイヤによって増加するが、本発明の実施形態では、前記ブート２５０の前記大径部４１０の外径が最大直径に形成される。
【００４７】
同時に、前記ブート２５０の前記大径部４１０の内周面に前記ブッシング２２０がオーバーモールディングされる時、前記バンド２３０をインサートモールディングすることにより、前記バンド２３０が外部干渉などで離脱する危険性を低減する。それだけでなく、前記バンド２３０と前記ブッシング２２０との間の結合力を向上させ、全体的な耐久性と強固性を向上させる。
【００４８】
それだけでなく、前記ブート２５０の大径部４１０の内周面に前記ブッシング２２０を形成する時、実質的に前記ブート２５０と前記ブッシング２２０とが化学的に一体化されることによってこれらの間の結合力が向上し、前記ブート２５０、前記ブッシング２２０、および前記バンド２３０が１つの一体化された部品として効果的に管理可能である。
【００４９】
図７は、本発明の実施形態にかかるブートユニットを製造する方法を示すフローチャートである。
【００５０】
図７を参照すれば、Ｓ７００は、小径部４００、大径部４１０、およびシワ部２１０が形成されたブート２５０をブロー工法によって形成するステップである。
【００５１】
Ｓ７１０は、作られた前記ブート２５０の前記大径部４１０に前記ブッシング２２０をオーバーモールディングするステップである。ここで、Ｓ７１０が行われている間、Ｓ７２０が共に行われる。つまり、前記ブッシング２２０が前記ブート２５０にオーバーモールディングされる時、前記バンド２３０が挿入されてインサートモールディングされる。
【００５２】
本発明の実施形態において、前述したＳ７００、Ｓ７１０、およびＳ７２０は、説明の便宜のために順に並べたものであり、その順序は任意に定められ、同時に実施されてもよい。
【００５３】
本発明の実施形態において、前記ブッシング２２０と前記バンド２３０は、前記ブート２５０が大径部４１０にのみ適用されるものとして説明したが、前記ブッシング２２０と前記バンド２３０は、前記ブート２５０の小径部４００にも同様の方法で適用可能である。
【００５４】
同時に、前記ブート２５０に前記ブッシング２２０をオーバーモールディングするものとして説明したが、前記ブート２５０が前記ブッシングの機能を果たすように設定された厚さに形成されてもよい。この時、前記バンド２３０は、前記ブート２５０の厚くなった部分の内部に配置される。
【００５５】
本発明の実施形態において、前記ブートと前記ブッシングは、ゴムまたはプラスチックまたは樹脂材質で形成され、前記バンドは、金属材質で形成され得る。
【００５６】
図１は、本技術にかかるブートユニットおよびこれを備えた動力伝達装置の概略斜視図である。
【００５７】
図１を参照すれば、動力伝達装置は、等速ジョイント１３０と、バンド１２０と、ブート１１０と、ドライブシャフト１００とを含む。そして、ブートユニットは、前記ブート１１０と、前記バンド１２０とを含む。
【００５８】
前記等速ジョイント１３０は、関節構造とボールを用いて前記ドライブシャフト１００の回転力を一定に後続のシャフトに伝達する。前記等速ジョイント１３０の構造については公知技術に従う。
【００５９】
図８は、本発明の他の実施形態にかかるブートユニットの長さ方向の断面を示す断面図である。
【００６０】
図８を参照すれば、ブートユニット２００は、ブート２５０と、ブッシング２２０と、バンド２３０とを含む。
【００６１】
前記ブート２５０は、中心軸を基準として配置され、前記ブッシング２２０は、前記ブート２５０の大径部の内周面と外周面に密着する。
【００６２】
前記ブッシング２２０と前記ブート２５０は、互いにオーバーモールディングされて化学的に一体に形成される。このため、これらは互いに離脱することが防止される。
【００６３】
同時に、前記バンド２３０が、前記ブッシング２２０、および前記ブート２５０を密着させることにより、等速ジョイントの外周面に強固に固定される。
【００６４】
図９および図１０を参照して、前記ブッシング２２０、前記ブート２５０、および前記バンド２３０の締結構造についてより詳細に説明する。
【００６５】
図９は、本発明の他の実施形態にかかるブートユニットにおけるブッシングの断面を示す斜視断面図である。
【００６６】
図９を参照すれば、前記ブッシング２２０は、前記ブート２５０の大径部の内周面に密着する外周面が形成され、前記ブッシング２２０は、一側外周面９００と、他側外周面９２０とを含む。図８および図９において、前記一側外周面９００は左側に形成され、前記他側外周面９２０は右側に形成される。
【００６７】
前記一側外周面９００と前記他側外周面９２０との間には段差面９１０が形成される。前記段差面９１０は、設定された角度を有する傾斜面、設定された曲線状の曲線面、および垂直な垂直面に変更されて適用可能である。
【００６８】
前記一側外周面９００と前記他側外周面９２０は、前記中心軸８００と一定の距離を持っており、前記段差面９１０を介して、前記一側外周面９００と前記中心軸８００との距離は、前記他側外周面９２０と前記中心軸８００との距離より長い。
【００６９】
同時に、前記ブッシング２２０の他側端部には、端部カバー部９３０が外周面から放射方向に突出して形成され、前記端部カバー部９３０の端部には、一側に延びる外側カバー部９４０が形成される。前記外側カバー部９４０の内周面と前記他側外周面９２０は、一定の間隔をおいて形成される。
【００７０】
このような構造を有する前記ブッシング２２０と前記ブート２５０の大径部４１０とが互いにオーバーモールディングされて一体に接合されると、図１０のような構造を完成する。
【００７１】
図１０は、本発明の他の実施形態にかかるブートユニットにおけるブッシングとブートとの結合関係を示す斜視断面図である。
【００７２】
図１０を参照すれば、前記ブート２５０の大径部４１０は、前記ブッシング２２０の一側外周面９００、段差面、他側外周面９２０、および前記外側カバー部９４０の内周面と密着して一体に形成される。
【００７３】
特に、前記ブート２５０の大径部４１０が前記段差面９１０を介して強固に前記ブッシング２２０と結合され、前記外側カバー部９４０の内周面と追加的に結合されることによって離脱が未然に防止される。
【００７４】
図１１は、本発明の他の実施形態にかかるブートユニットにおけるバンドの締結された状態を示す一部断面図であり、図１２は、本発明の他の実施形態にかかるブートユニットにおけるバンドの締められた状態を示す一部断面図である。
【００７５】
図１１を参照すれば、前記ブート２５０の大径部４１０と前記ブッシング２２０とが互いにオーバーモールディングされる時、前記バンド２３０も共に前記ブッシング２２０の前記外側カバー部９４０に密着する。
【００７６】
図１１に示すように、前記ブッシング２２０の前記外側カバー部９４０に前記バンド２３０が締結され、図１２に示すように、前記バンド２３０が締められると、前記バンド２３０が前記ブッシング２２０の前記外側カバー部９４０を圧着しながら前記ブート２５０の大径部４１０を強固に固定する。同時に、前記ブート２５０の大径部４１０は、前記ブッシング２２０に強固に密着する。
【００７７】
図示のように、前記バンド２３０の内周面は、前記ブッシング２２０の前記外側カバー部９４０の外周面に密着し、前記ブート２５０と直接接触することなく、前記ブート２５０を前記ブッシング２２０に強固に固定する。
【００７８】
以上、本発明に関する好ましい実施形態を説明したが、本発明は、上記の実施形態に限定されず、本発明の実施形態から当該発明の属する技術分野における通常の知識を有する者によって容易に変更され、均等と認められる範囲のすべての変更を含む。
【符号の説明】
【００７９】
１００：ドライブシャフト
１１０、２５０：ブート
１２０、２３０：バンド
１３０：等速ジョイント
２００：ブートユニット
２１０：シワ部
２２０：ブッシング
２３０：バンド
２４０：バンドイヤ
２５０：ブート
２８０：溝部
２９０：載置突起
２９５：ホール
３００：カバー部
４００：小径部
４１０：大径部
８００：中心軸
９００：一側外周面
９１０：段差面
９２０：他側外周面
９３０：端部カバー部
９４０：外側カバー部
【図１】
2014095467.tif 000003
【図２】
2014095467.tif 000004
【図３】
2014095467.tif 000005
【図４】
2014095467.tif 000006
【図５】
2014095467.tif 000007
【図６】
2014095467.tif 000008
【図７】
2014095467.tif 000009
【図８】
2014095467.tif 000010
【図９】
2014095467.tif 000011
【図１０】
2014095467.tif 000012
【図１１】
2014095467.tif 000013
【図１２】
2014095467.tif 000014